(57)【要約】      （修正有）【課題】装置の高さ寸法を抑えつつ、長さの長い用紙を適切に支持することができ、そして操作性の良好な記録装置を提供する。【解決手段】インクジェットプリンター１は、記録ヘッド１３を内部に備えた筐体２と、筐体２の上部の少なくとも一部を開閉する第１開閉体としての上部カバー３と、筐体２の周囲の少なくとも一部を開閉するとともに上部カバー３に対し回動可能に連結され、上部カバー３が開いた状態で上部カバー３による用紙支持面Ｓａを延長する第２開閉体としての排紙口カバー７とを備えている。これにより、上部カバー３及び排紙口カバー７の双方をワンアクションで開閉でき、操作性が向上するとともに、長さの長い用紙Ｐを適切に支持することができ、そしてその様な効果を得るに際して、装置の高さ方向寸法増加を抑えることができる。【選択図】図４
2015024635.tif 000002
【特許請求の範囲】
【請求項１】
媒体に記録を行う記録手段を内部に備えた筐体と、
前記筐体の上部の少なくとも一部を開閉し、開いた状態において給送前の媒体を支持する媒体支持面を形成する第１開閉体と、
前記筐体の周囲の少なくとも一部を開閉するとともに前記第１開閉体に対し回動可能に連結され、前記第１開閉体が開いた状態で前記第１開閉体が形成する前記媒体支持面を延長する第２開閉体と、
を備えた記録装置。
【請求項２】
請求項１に記載の記録装置において、前記第２開閉体は、記録が行われて排出される媒体の排出口を開閉する、
ことを特徴とする記録装置。
【請求項３】
請求項１または請求項２に記載の記録装置において、前記第１開閉体及び前記第２開閉体の少なくともいずれか一方において前記筐体と対向する面に突起を備え、
前記突起は、前記第１開閉体及び前記第２開閉体が閉じた状態において前記筐体に形成された孔に嵌合する、
ことを特徴とする記録装置。
【請求項４】
請求項３に記載の記録装置において、前記突起は、前記第１開閉体及び前記第２開閉体に支持される媒体の両サイドに配置されている、
ことを特徴とする記録装置。
【請求項５】
請求項３または請求項４に記載の記録装置において、前記突起は、支持される媒体のエッジ位置を規制する、
ことを特徴とする記録装置。
【請求項６】
請求項１から請求項５のいずれか一項に記載の記録装置において、前記第２開閉体が前記第１開閉体に対し連結される連結部が、媒体を支持する領域から外れた位置に設けられている、
ことを特徴とする記録装置。
【請求項７】
請求項１から請求項６のいずれか一項に記載の記録装置において、前記第１開閉体は、外面の少なくとも一部が凸形状を成し、
前記第２開閉体は、開いた状態において前記凸形状により開き角度が規制される、
ことを特徴とする記録装置。
【請求項８】
請求項１から請求項７のいずれか一項に記載の記録装置において、前記第１開閉体及び前記第２開閉体が開いた状態において前記第１開閉体が形成する媒体支持面と前記第２開閉体が形成する媒体支持面とが成す角度が１８０°未満である、
ことを特徴とする記録装置。
【請求項９】
請求項１から請求項６のいずれか一項に記載の記録装置において、前記第１開閉体及び前記第２開閉体が開いた状態において前記第１開閉体が形成する媒体支持面と前記第２開閉体が形成する媒体支持面とが成す角度が切り換え可能である、
ことを特徴とする記録装置。
【発明の詳細な説明】
【技術分野】
【０００１】
本発明は、ファクシミリやプリンター等に代表される記録装置に関する。
【背景技術】
【０００２】
記録装置の一例としてのプリンターには、２つの開閉体が連動して動作するものがある。特許文献１に示すプリンターは、装置上面に設けられた給紙開口部を覆う給紙カバーと、装置前面に設けられた排紙口を覆う排紙口カバーを備えている。給紙カバーには磁石ユニットが設けられており、また排紙口カバーには金属部材が設けられている。
【０００３】
給紙カバーと排紙口カバーとが閉じた状態では、給紙カバーの磁石ユニットと、排紙口カバーの金属部材とが互いに吸着することでロック状態となり、シェル構造をなす。そして、給紙カバーを開くことに連動して、排紙口カバーは自重により自動的に開く様になっている。  
特許文献１に示すプリンターは、以上の様な構成により、排紙口カバーを開かずに印刷を行ってしまうことによる紙詰まりを防止している。
【先行技術文献】
【特許文献】
【０００４】
【特許文献１】特開２００４−１２２７１９号公報
【発明の概要】
【発明が解決しようとする課題】
【０００５】
上述した特許文献１記載のプリンターは、給紙カバーと排紙口カバーとを互いに吸着させてシェル構造をなす様に構成されており、給紙カバーを開くと排紙口カバーが開く構造であるものの、閉じる際には、給紙カバーと排紙口カバーをそれぞれ閉じる必要がある。即ち、双方を閉じる状態にするために、複数回の操作（アクション）が必要となる。
【０００６】
加えて、上記特許文献１記載のプリンターは、給紙カバーが開いた状態においてシートを傾斜姿勢に支持するが、その支持面の長さ（給紙方向長さ）は、装置本体の奥行き方向の寸法でほぼ決まり、奥行き方向の小型化を図る場合、通常のシート長のシートも支持することができないという問題が生じる。さらに、前記支持面の長さは固定であり、シート長の長いシートに対応できず、支持したシートの上部が後方に反り返り、適切に支持できない場合がある。また、長いシートに対応する為に、引出式（多段式）のシート支持構造を採用すると、給紙カバーの厚みが厚くなり、装置の高さ方向寸法が増加してしまう問題が生じる。
【０００７】
そこで本発明はこの様な状況に鑑みなされたものであり、その目的は、装置が小型化されても上記支持面の長さを確保することができ、また長さの長い用紙を適切に支持することができ、そして操作性の良好な記録装置を得ることにある。
【課題を解決するための手段】
【０００８】
上記課題を解決する為の、本発明の第１の態様に係る記録装置は、媒体に記録を行う記録手段を内部に備えた筐体と、前記筐体の上部の少なくとも一部を開閉し、開いた状態において給送前の媒体を支持する媒体支持面を形成する第１開閉体と、前記筐体の周囲の少なくとも一部を開閉するとともに前記第１開閉体に対し回動可能に連結され、前記第１開閉体が開いた状態で前記第１開閉体が形成する前記媒体支持面を延長する第２開閉体とを備えたことを特徴とする。
【０００９】
本態様によれば、装置上面を開閉する第１開閉体と装置周囲を開閉する第２開閉体とを備えた記録装置において、第２開閉体は第１開閉体に対し回動可能に連結されているので、第２開閉体に手を掛けて開き、そのままの状態で引き続き第１開閉体を開くことができる。その逆に双方を閉じる際も、第２開閉体を閉じる過程で第１開閉体をも閉じることができる。即ち、第１開閉体と第２開閉体の双方を開閉する際に各々を個別に開閉する必要がなく、ワンアクションで済み、操作性が向上する。
【００１０】
そして筐体の周囲の少なくとも一部を開閉する第２開閉体が、第１開閉体及び第２開閉体が開いた状態において第１開閉体による媒体支持面を延長するので、長さの長い媒体を適切に支持することができ、そしてその様な効果を得るに際して、装置の大型化を抑えることができる。
【００１１】
本発明の第２の態様は、第１の態様において、前記第２開閉体は、記録が行われて排出される媒体の排出口を開閉することを特徴とする。  
本態様によれば、第２開閉体が媒体排出口を開閉する構成において、上記第１の態様の作用効果を得ることができる。
【００１２】
本発明の第３の態様は、第１のまたは第２の態様において、前記第１開閉体及び前記第２開閉体の少なくともいずれか一方において前記筐体と対向する面に突起を備え、前記突起は、前記第１開閉体及び前記第２開閉体が閉じた状態において前記筐体に形成された孔に嵌合することを特徴とする。
【００１３】
本態様によれば、前記第１開閉体及び前記第２開閉体の少なくともいずれか一方において前記筐体と対向する面に突起を備え、前記突起は、前記第１開閉体及び前記第２開閉体が閉じた状態において前記筐体に形成された孔に嵌合するので、前記第１開閉体及び前記第２開閉体が閉じた際に当該２つの開閉体の前記筐体に対する位置が適切に定まる。その結果、装置の外観を適切に維持することができる。即ち、第１開閉体及び第２開閉体の筐体に対する閉じ位置が、適切な位置からずれることを防止できる。
【００１４】
本発明の第４の態様は、第３の態様において、前記突起は、前記第１開閉体及び前記第２開閉体に支持される媒体の両サイドに配置されていることを特徴とする。
【００１５】
本態様によれば、前記突起は、前記第１開閉体及び前記第２開閉体に支持される媒体の両サイドに配置されているので、前記２つの開閉体の前記筐体に対する位置がより適切に定まる。
【００１６】
本発明の第５の態様は、第３のまたは第４の態様において、前記突起は、支持される媒体のエッジ位置を規制する。  
本態様によれば、前記突起は、支持される媒体のエッジ位置を規制するので、支持される媒体のエッジ位置を規制する構成を別途設ける必要がなく、装置の低コスト化を図ることができる。
【００１７】
本発明の第６の態様は、第１から第５の態様のいずれかにおいて、前記第２開閉体が前記第１開閉体に対し連結される連結部が、媒体を支持する領域から外れた位置に設けられていることを特徴とする。
【００１８】
本態様によれば、前記第２開閉体が前記第１開閉体に対し連結される連結部が、媒体を支持する領域から外れた位置に設けられているので、前記第２開閉体を前記第１開閉体に対し連結する構成を設けるに際して、前記連結部が媒体と接触することを回避でき、その結果媒体の支持（媒体の姿勢）に影響を与えることを回避できる。
【００１９】
本発明の第７の態様は、第１から第６の態様のいずれか一項に記載の記録装置において、前記第１開閉体は、外面の少なくとも一部が凸形状を成し、前記第２開閉体は、開いた状態において前記凸形状により開き角度が規制されることを特徴とする。
【００２０】
本態様によれば、前記第１開閉体は、外面の少なくとも一部が凸形状を成し、前記第２開閉体は、開いた状態において前記凸形状により開き角度が規制されるので、前記第２開閉体の開き角度を規制する構成を、構造簡単にして低コストに得ることができる。
【００２１】
本発明の第８の態様は、第１から第７の態様のいずれかにおいて、前記第１開閉体及び前記第２開閉体が開いた状態において前記第１開閉体が形成する媒体支持面と前記第２開閉体が形成する媒体支持面とが成す角度が１８０°未満であることを特徴とする。
【００２２】
本態様によれば、前記第１開閉体及び前記第２開閉体が開いた状態において前記第１開閉体が形成する媒体支持面と前記第２開閉体が形成する媒体支持面とが成す角度が１８０°未満であるので、支持される媒体の上部が下部に比して起こされた状態となり、特にコシの弱い媒体を適切に支持することができる。
【００２３】
本発明の第９の態様は、第１から第６の態様のいずれかにおいて、前記第１開閉体及び前記第２開閉体が開いた状態において前記第１開閉体が形成する媒体支持面と前記第２開閉体が形成する媒体支持面とが成す角度が切り換え可能であることを特徴とする。
【００２４】
本態様によれば、前記第１開閉体及び前記第２開閉体が開いた状態において前記第１開閉体が形成する媒体支持面と前記第２開閉体が形成する媒体支持面とが成す角度が切り換え可能であるので、前記媒体支持面を媒体の種類に応じて適切に設定することができる。
【図面の簡単な説明】
【００２５】
【図１】本発明に係るプリンターの外観斜視図（上部カバー閉、排紙口カバー閉）。
【図２】本発明に係るプリンターの外観斜視図（上部カバー閉、排紙口カバー開）。
【図３】本発明に係るプリンターの外観斜視図（上部カバー開、排紙口カバー開）。
【図４】本発明に係るプリンターをｙ−ｚ平面で切断した断面図。
【図５】排紙口カバーの他の実施形態を示す図。
【図６】本発明の他の実施形態に係るプリンターの外観斜視図（上部カバー閉、排紙口カバー閉）。
【図７】本発明の他の実施形態に係るプリンターの外観斜視図（上部カバー閉、排紙口カバー開）。
【図８】本発明の他の実施形態に係るプリンターの外観斜視図（上部カバー開、排紙口カバー開）。
【図９】図８のｍ−ｍ断面図である。
【図１０】本発明の他の実施形態に係るプリンターの外観斜視図（内部カバー閉）。
【図１１】本発明の他の実施形態に係るプリンターの外観斜視図（内部カバー開）。
【図１２】本発明の他の実施形態に係るプリンターをｙ−ｚ平面で切断した断面図。
【発明を実施するための形態】
【００２６】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２７】
図１乃至図３は本発明に係る「記録装置」の一実施形態であるインクジェットプリンター（以下「プリンター」と言う）１の外観斜視図であり、図１は上部カバー３及び排紙口カバー７の双方が閉じた状態を、図２は上部カバー３が開き排紙口カバー７が閉じた状態を、図３は上部カバー３及び排紙口カバー７の双方が開いた状態を、それぞれ示す。また、図４はプリンター１をｙ−ｚ平面で切断した断面図である。また、図５は排紙口カバーの他の実施形態を示す図である。
【００２８】
図６乃至図９は本発明の他の実施形態に係るプリンター１Ａの外観斜視図であり、図６は上部カバー２０及び排紙口カバー２１の双方が閉じた状態を、図７は上部カバー２０が開き排紙口カバー２１が閉じた状態を、図８は上部カバー２０及び排紙口カバー２１の双方が開いた状態を、それぞれ示す。また、図９は図８のｍ−ｍ断面図である。
【００２９】
尚、各図に示すｘ−ｙ−ｚ直交座標系は、ｘ方向及びｙ方向が水平方向であり、このうちｘ方向は用紙幅方向であり、また装置左右方向でもある。またｙ方向は用紙搬送方向であり、また装置奥行き方向でもある。更に、ｚ方向は重力方向であり、装置高さ方向でもある。
【００３０】
図１、図２、図３においてプリンター１は、筐体２により外観が形成されており、その大きさと形状は、携帯性を考慮して小型に、そして薄型に形成されている。  
上面には本発明の「第１開閉体」の一例である上部カバー３が、装置上部を開閉可能に設けられ、装置前方には本発明の「第２開閉体」の一例である排紙口カバー７が、排紙口６を開閉可能に設けられている。尚、符号２ａは筐体２の前面を示しており、前面２ｃは、前面２ａよりも排紙口カバー７の厚み分、一段奥まった面である。排紙口６は前面２ｃに形成されている。また、符号２ｂは筐体２の上面であり、上面２ｄは上面２ｂよりも上部カバー３の厚み分、一段低くなった面である。
【００３１】
プリンター１は、記録動作と用紙搬送動作とを交互に行うことで記録を完了させる所謂シリアル型のインクジェットプリンターであり、その大まかな構成は図４に示されている。符号１４は、給送ローラー１１により給紙された用紙を搬送する搬送ローラー対であり、この搬送ローラー対の下流に、インクジェット記録ヘッド１３が設けられている。
【００３２】
インクジェット記録ヘッド１３はキャリッジ１２に設けられ、当該キャリッジ１２は、図示しないインクカートリッジを搭載するとともに、図示しない駆動モーターからの動力を受け、用紙幅方向に往復動する。インクジェット記録ヘッド１３と対向する位置には媒体の一例としての記録用紙（単票紙：以下「用紙Ｐ」と言う）を支持する用紙支持部材１６が設けられ、インクジェット記録ヘッド１３及び用紙支持部材１６の下流側には、記録の行われた用紙Ｐを排出する排出ローラー対１５が設けられている。
【００３３】
前面２ａに形成される排紙口６は排出ローラー対１５の下流側に位置し、プリンター１において使用が想定される最大サイズの用紙Ｐの幅よりも、更に大きめの幅に形成されている。第２開閉体としての排紙口カバー７は、この排紙口６を閉じる状態（図１）と、排紙口６を開く状態（図２〜図４）と、をとり得る。
【００３４】
一方、装置上面を開閉する上部カバー３は、装置後部に設けられた回動軸３ｅを中心に回動可能に設けられており、回動することにより、装置上部を閉じる姿勢（図１及び図２）と、装置上部を開く姿勢（図３及び図４）と、をとり得る様になっている。
【００３５】
上部カバー３及び排紙口カバー７が閉じた状態では、当該上部カバー３の上面が、筐体２の上面２ｂと面一を成す様に構成されており、また排紙口カバー７の外面が、前面２ａとほぼ同じ位置となり、全体的に筐体表面に極端な段差が形成されない様に構成されている。
【００３６】
上部カバー３が開いた状態では、図３に示す様に装置上部に用紙給紙口４が表れ、用紙の給紙が行える様になっている。上部カバー３は、装置上部を開閉するとともに、開いた状態では、用紙給紙口４にセットされた給送前の（或いは給送中の）用紙Ｐを傾斜姿勢に支持する支持手段を兼ねる。また、符号５は、電源ボタンや各種印刷設定ボタン等からなる操作ボタン類、及び設定内容や装置の状態等の各種内容を示す表示部を備えて成る操作パネルを示しており、上部カバー３が開くことにより、操作パネル５が表れる様になっている。
【００３７】
ここで排紙口カバー７は、上部カバー３に対して連結部としてのヒンジ部３ｃ、３ｄを介して相対的に回動可能に連結されている。従って上部カバー３を開く際には、筐体２の前面下部中央に形成された凹部２ｅを介して排紙口カバー３の下端部に指を掛け、先ず排紙口カバー３を図１から図２への変化に示す様に開く。排紙口カバー３の上部カバー３に対する開き角度はヒンジ部３ｃ、３ｄの内部構造により所定角度（本実施形態では略１８０°）に規制されており、従って排紙口カバー３を更に開くと、図２から図３への変化に示す様に上部カバー３も開く。
【００３８】
排紙口カバー７と上部カバー３とを双方に開いた状態では、排紙口カバー７の内面（符号Ｓｂで示す）が、上部カバー３の内面（符号Ｓａで示す）、即ち用紙Ｐを支持する用紙支持面Ｓａを延長する。
【００３９】
そして排紙口カバー７と上部カバー３とを双方に閉じる際は、排紙口カバー７に手を掛けて閉じ方向に回動させる。その過程において、上部カバー３も同時に閉じる。尚、上部カバー３は、閉じた状態において筐体２の上面２ｄにより閉じた角度が規制される。また排紙口カバー７は、閉じた状態において筐体２の前面２ｃにより閉じた角度が規制される。
【００４０】
ここで、ヒンジ部３ｃ、３ｄには、筐体２に向かって突出する突起３ａ、３ｂがそれぞれ形成されており、上部カバー３が閉じた状態において、筐体２に設けられた不図示の孔に突起３ａ、３ｂが嵌合する様になっている。従って上部カバー３は閉じた状態においてｙ−ｚ平面での動きが規制され、装置の美観が維持される。また、同時に排紙口カバー７は上部カバー３に対して連結されているので、排紙口カバー７のｘ−ｚ平面での動きも規制される。
【００４１】
排紙口カバー７の内側下端部には金属板８（図３）が設けられており、排紙口カバー７が閉じた状態において金属板８が磁石９に引き寄せられることで、排紙口カバー７（及び上部カバー３）が閉じた状態が保持される。
【００４２】
尚、本実施形態では排紙口カバー７においてヒンジ部３ｃ、３ｄと連結する部分は、用紙幅方向に連続的に続く隆起状の連結部（図３において符号７ａで示す）として形成されているが、用紙Ｐを支持する領域に隆起状部分が存在しないように形成することも好適である。
【００４３】
以上説明した筐体２、上部カバー３、排紙口カバー７、のこれらは、樹脂材料により形成されている。
【００４４】
以上説明したように、本発明に係る記録装置の一実施形態としてのインクジェットプリンター１は、媒体の一例としての用紙Ｐに記録を行う記録手段を構成するインクジェット記録ヘッド１３を内部に備えた筐体２と、筐体２の上部の少なくとも一部を開閉し、開いた状態において給送前の用紙Ｐを支持する第１開閉体としての上部カバー３と、筐体２の周囲の少なくとも一部を開閉するとともに上部カバー３に対し回動可能に連結され、上部カバー３が開いた状態で上部カバー３による用紙支持面Ｓａを延長する第２開閉体としての排紙口カバー３とを備えている。
【００４５】
これにより、上部カバー３及び排紙口カバー７の双方が閉じた状態から排紙口カバー７に手を掛けて開き、そのままの状態で引き続き上部カバー３を開くことができる。その逆に双方を閉じる際も、排紙口カバー７を閉じる過程で上部カバー３をも閉じることができる。即ち、上部カバー３及び排紙口カバー７の双方を開閉する際に各々を個別に開閉する必要がなく、ワンアクションで済み、操作性が向上する。
【００４６】
そして筐体２の周囲の少なくとも一部を開閉する排紙口カバー７が、上部カバー３及び排紙口カバー７の双方が開いた状態において上部カバー３による用紙支持面Ｓａを延長し、即ち用紙支持面Ｓａに加えて用紙支持面Ｓｂが展開されるので、長さの長い用紙Ｐを適切に支持することができ、そしてその様な効果を得るに際して、上部カバー３を多段式に構成する必要がなく、装置の大型化を抑えることができる。
【００４７】
加えて、排紙口カバー７は開いた状態において上方に退避するので、プリンター１の前方側に排紙口カバー７を開く為のスペースが不要となり、プリンター１の設置の自由度が向上する。
【００４８】
尚、上記本発明の内容に任意的に付加できる構成として、以下の点が挙げられる。例えば、本実施形態では上部カバー３に対して回動可能に連結されるカバーは、用紙排紙口６を開閉する排紙口カバーである。尚、上部カバー３に対して回動可能に連結され、上部カバー３が開いた状態において用紙支持面Ｓａを延長するカバーは排紙口カバーに限られず、他の部分を開閉する開閉体であっても良い。
【００４９】
また、例えば本実施形態において突起３ａ、３ｂが、上部カバー３及び排紙口カバー７の双方が閉じた状態において筐体２に形成された孔（不図示）に嵌合するので、上部カバー３及び排紙口カバー７の双方を閉じた際に当該２つの開閉体の筐体２に対する位置が適切に定まる。その結果、装置の外観を適切に維持することができる。  
尚、本実施形態では突起３ａ、３ｂは上部カバー３に設けられているが、排紙口カバー７に設けられていても良い。
【００５０】
また、例えば本実施形態において突起（３ａ、３ｂ）は、上部カバー３及び排紙口カバー７の双方によって支持される用紙Ｐの両サイドに配置されているので、前記２つの開閉体の筐体に対する位置がより適切に定まる。
【００５１】
尚、上記突起３ａ、３ｂの少なくともいずれか一方により、支持される用紙Ｐのエッジ位置を規制するように構成しても良い。これにより、支持される用紙Ｐのエッジ位置を規制する構成を別途設ける必要がなく、装置の低コスト化を図ることができる。
【００５２】
尚、上記実施形態において排紙口カバー７は開いた状態において、排紙口カバー７が形成する用紙支持面Ｓｂと上部カバー３が形成する用紙支持面Ｓａとが成す角度がほぼ１８０°に形成されている。しかし、これを１８０°未満となる様に構成することも好適である。具体的には、図５において符号７’で示す排紙口カバー７’は、開き角度が実線で示す排紙口カバー７よりも、開く角度が小さく、用紙支持面ＳａとＳｂ’とが成す角度が１８０°未満となる。
【００５３】
これにより、支持される用紙Ｐの上部が下部に比して起こされた状態となり、特にコシの弱い用紙Ｐの上部において用紙支持面Ｓｂから外れた部分が後方側に反り、垂れ下がる様なことがなく、用紙Ｐを適切に支持することができる。
【００５４】
尚、排紙口カバー７が形成する用紙支持面Ｓｂと上部カバー３が形成する用紙支持面Ｓａとが成す角度を切り換え可能に構成することも好適である。例えば、図５において実線で示した排紙口カバー７の用紙支持面Ｓｂと上部カバー３の用紙支持面Ｓａとの成す角度を、専用紙等のコシの強い用紙Ｐを支持する際の角度とすれば、給紙負荷を軽減して良好に給紙することができる。
【００５５】
そして図５において仮想線で示した排紙口カバー７’の用紙支持面Ｓｂ’と、上部カバー３の用紙支持面Ｓａとの成す角度を１８０°未満となる角度とし（符号αで示す）、普通紙等のコシの弱い用紙Ｐを支持すれば、用紙上端が排紙口カバー７’より上方に飛び出した場合には当該飛び出した部分が後方側（図５の右側）に反り返ることや垂れ下がることを防止し或いは抑制することができる。以上の通り、用紙種類に応じて上部カバー３が形成する用紙支持面Ｓａと排紙口カバー７が形成する用紙支持面Ｓｂとが成す角度を切り換えることで、良好に用紙を支持することができる。
【００５６】
続いて図６〜図９を参照しつつ本発明の他の実施形態の一例について説明する。尚、図６〜図９において既に説明した構成と同一の構成には同一符号を付してあり、以下では重複の説明は避けるものとする。
【００５７】
本実施形態において上部カバー２０の上面は、幅方向（ｘ方向）の中央部が凸形状を成している（符号２０ａで示す）。上部カバー２０の上面は、中央部２０ａが、両端部２０ｂよりも盛り上がるように形成されている。そしてこの凸形状により、図７及び図８に示す様に排紙口カバー２１が開いた状態の開き角度が規制される。
【００５８】
即ち、排紙口カバー２１はヒンジ部２１ａ、２１ａを介して上部カバー２０に対して回動可能に連結されているが、相手側の上部カバー２０は中央部が凸形状に形成されているので、排紙口カバー２１において上部カバー２０に近い側の中央部２１ｂが、上記凸形状に当接し、それ以上の回動が規制される。  
これにより、排紙口カバー２１の開き角度を規制する構成を、構造簡単にして低コストに得ることができる。
【００５９】
尚、本実施形態において排紙口カバー２１を上部カバー２０に対して連結する連結部としてのヒンジ部２１ａ、２１ｂは、用紙Ｐを支持する領域から外れた位置に設けられている。これにより、排紙口カバー２１を上部カバー２０に対し連結する構成を設けるに際して、ヒンジ部２１ａ、２１ｂが用紙Ｐと接触することを回避でき、その結果用紙Ｐの姿勢（支持された用紙Ｐの姿勢）に影響を与えることを回避できる。
【００６０】
続いて図１０〜図１２を参照しつつ、本発明の他の実施形態に係るプリンター１００について説明する。図１０は本発明の他の実施形態に係るプリンター１００の外観斜視図（内部カバー１０２ｄ閉）、図１１はプリンター１００の外観斜視図（内部カバー１０２ｄ開）、図１２はプリンター１００をｙ−ｚ平面で切断した断面図である。尚、図１２において図４に示した構成と同一構成には同一符号を付してあり、以下ではその説明は省略する。
【００６１】
プリンター１００は、筐体１０２により外観が形成されており、その大きさと形状は、携帯性を考慮して小型に、そして薄型に形成されている。上面には本発明の「第１開閉体」の一例である上部カバー１０３が、装置上部を開閉可能に設けられ、装置前方には本発明の「第２開閉体」の一例である排紙口カバー１０７が、排紙口１０６を開閉可能に設けられている。
【００６２】
尚、符号１０２ａは筐体１０２の前面を示しており、前面１０２ｃは、前面１０２ａよりも排紙口カバー１０７の厚み分、一段奥まった面である。排紙口１０６は前面１０２ｃに形成されている。また、符号１０２ｂは筐体１０２の上面であり、符号１０２ｄは上面２ｂよりも上部カバー１０３の厚み分、一段低くなった面を形成する、開閉可能な内部カバーである。
【００６３】
装置上面を開閉する上部カバー１０３は、装置後部に設けられた回動軸（不図示）を中心に回動可能に設けられており、回動することにより、装置上部を閉じる姿勢（不図示）と、装置上部を開く姿勢（図１０〜図１２）と、をとり得る様になっている。
【００６４】
上部カバー１０３及び排紙口カバー１０７が閉じた状態では、当該上部カバー１０３の上面が、筐体１０２の上面１０２ｂと面一を成す様に構成されており、また排紙口カバー１０７の外面が、前面１０２ａとほぼ同じ位置となり、全体的に筐体表面に極端な段差が形成されない様に構成されている。
【００６５】
上部カバー１０３が開いた状態では、装置上部に用紙給紙口１０４が表れ、用紙の給紙が行える様になっている。上部カバー１０３は、装置上部を開閉するとともに、開いた状態では、用紙給紙口１０４にセットされた給送前の（或いは給送中の）用紙Ｐを傾斜姿勢に支持する支持手段を兼ねる。また、符号１０５は、電源ボタンや各種印刷設定ボタン等からなる操作ボタン類、及び設定内容や装置の状態等の各種内容を示す表示部を備えて成る操作パネルを示しており、上部カバー１０３が開くことにより、操作パネル１０５が表れる様になっている。
【００６６】
尚、排紙口カバー１０７の先端にはフック１０８が設けられており、このフック１０８が、不図示の掛止部に掛止することで、排紙口カバー１０７（及び上部カバー１０７）の閉じた状態が保持される。  
また、符号１０３ａは、舌片状の突起を示している。突起１０３ａは、上部カバー１０３及び排紙口カバー１０７が閉じた際に、排紙口カバー１０７と、筐体１０２の前面１０２ｃとの間に挟まれ、これにより上部カバー１０３及び排紙口カバー１０７は閉じた状態において装置前後方向の動きが規制され、装置の美観が維持される。尚、突起１０３ａは、本実施例では上部カバー１０３の幅方向において一方側端部にのみ設けられているが、両方向の端部に設けても良い。
【００６７】
排紙口カバー１０７は、上部カバー１０３に対して連結部としてのヒンジ部１０３ｃ、１０３ｄを介して相対的に回動可能に連結されている。従って上部カバー１０３及び排紙口カバー１０７の双方が閉じた状態から排紙口カバー１０７に手を掛けて開き、そのままの状態で引き続き上部カバー１０３を開くことができる。その逆に双方を閉じる際も、排紙口カバー１０７を閉じる過程で上部カバー１０３をも閉じることができる。即ち、上部カバー１０３及び排紙口カバー１０７の双方を開閉する際に各々を個別に開閉する必要がなく、ワンアクションで済み、操作性が向上する。
【００６８】
そして筐体１０２の周囲の少なくとも一部を開閉する排紙口カバー１０７が、上部カバー１０３及び排紙口カバー１０７の双方が開いた状態において上部カバー１０３による用紙支持面Ｓａを延長し、即ち用紙支持面Ｓａに加えて用紙支持面Ｓｂが展開されるので、長さの長い用紙Ｐを適切に支持することができ、そしてその様な効果を得るに際して、上部カバー１０３を多段式に構成する必要がなく、装置の高さ方向寸法増加を抑えることができる。
【００６９】
尚、本実施例では、内部カバー１０２ｄが設けられており、この内部カバー１０２ｄは開閉可能に設けられ、開いた状態では、図１１に示す様にキャリッジ１２の移動領域が露呈する。キャリッジ１２にはインクカートリッジ１７ａ、１７ｄが着脱可能に設けられており、即ち上部カバー１０３を開き且つ内部カバー１０２ｄを開くことで、インクカートリッジの交換が可能となる。
【００７０】
以上説明した各実施形態の各構成要素について、開示した内容に限定されないことは言うまでもなく、適宜変更可能であることは言うまでもない。例えば、上記実施形態では、第１開閉体としての上部カバー３、２０は筐体２の上面の一部を開閉するが、筐体２の上面全体を開閉する大きさであっても良い。同様に、第２開閉体としての排紙口カバー７、２１は、筐体２の周囲において前面の一部を開閉するが、前面の全体を開閉する大きさであっても良い。
【００７１】
更に、本実施形態ではキャリッジ１２にインクカートリッジを搭載する、所謂オンキャリッジタイプであるが、インクカートリッジがキャリッジ１２から独立して設けられ、インクカートリッジと記録ヘッドとがインクチューブで接続された、所謂オフキャリッジタイプであっても良い。その場合、インク収容部としてのインクカートリッジは、筐体２の内側に設けても、筐体２の外側に設けても、いずれであっても良い。
【００７２】
また、記録ヘッド１３は、所定方向に移動しながら記録を行う所謂シリアルタイプのほか、固定的に設けられるとともに記録領域をカバーする長さを有する、所謂ラインヘッドであっても良い。
【符号の説明】
【００７３】
１  インクジェットプリンター、２  筐体、２ａ  前面、２ｂ  上面、２ｃ  前面、２ｄ  上面、２ｅ  凹部、３  上部カバー（第１開閉体）、３ａ、３ｂ  突起、３ｃ、３ｄ  ヒンジ部、３ｅ  回動軸、４  用紙給紙口、５  操作部、６  排紙口、７  排紙口カバー（第２開閉体）、７ａ  連結部、８  金属板、９  磁石、１１  給送ローラー、１２  キャリッジ、１３  記録ヘッド、１４  搬送ローラー対、１５  排出ローラー対、１６  用紙支持部材、２０  上部カバー、２１  排紙口カバー、２１ａ  連結部、Ｐ  記録用紙
【図１】
2015024635.tif 000003
【図２】
2015024635.tif 000004
【図３】
2015024635.tif 000005
【図４】
2015024635.tif 000006
【図５】
2015024635.tif 000007
【図６】
2015024635.tif 000008
【図７】
2015024635.tif 000009
【図８】
2015024635.tif 000010
【図９】
2015024635.tif 000011
【図１０】
2015024635.tif 000012
【図１１】
2015024635.tif 000013
【図１２】
2015024635.tif 000014